(57)【要約】本発明のネットワークシステムは、ネットワークに接続可能に構成された携帯端末（１０１，１０２）と、携帯端末（１０１，１０２）に対してネットワークを介して映像および／または音声からなるデータを配信する配信サーバ（４）と、配信サーバ（４）により配信されたデータに応答して映像および／または音声からなるメッセージが携帯端末（１０１，１０２）からネットワーク上に送出された場合に、当該メッセージを蓄積する蓄積サーバ（５）とを有する。【特許請求の範囲】
【請求項１】
ネットワークに接続可能に構成された情報端末と、
前記情報端末が前記ネットワークに接続された状態において、前記情報端末に前記ネットワークを介して映像および／または音声からなるデータを配信する配信サーバと、
前記情報端末が前記ネットワークに接続された状態において、前記配信サーバにより配信された前記データに応答して映像および／または音声からなるメッセージが前記情報端末から前記ネットワーク上に送出された場合に、当該メッセージを蓄積する蓄積サーバとを有するネットワークシステム。
【請求項２】
前記情報端末が前記データの配信開始を要求してきた場合に、その要求が行われた時刻と前記情報端末の識別番号との少なくとも１つを用いて前記情報端末を認証する認証サーバと、
前記認証サーバにより前記情報端末の認証が成功した場合に、前記情報端末を前記ネットワークに接続するための呼処理を行う呼処理サーバとをさらに有する、請求項１に記載のネットワークシステム。
【請求項３】
所定の場所に設置され、当該所定の場所の様子を撮影および／または集音して前記データを得る撮影／集音手段をさらに有し、
前記配信サーバは、前記撮影／集音手段にて得られた前記データを、前記ネットワークを介して前記情報端末にリアルタイムに配信する、請求項１に記載のネットワークシステム。
【請求項４】
前記情報端末から送出された前記メッセージの送信開始の合図となる信号を検出してから、前記情報端末から送出された前記メッセージの送信終了の合図となる信号を検出するまでの間、前記情報端末から送出された前記メッセージを前記ネットワークを介して前記蓄積サーバに送信するゲートウェイ装置をさらに有し、
前記蓄積サーバは、前記ゲートウェイ装置から前記ネットワークを介して送信されてきた前記メッセージを受信する受信手段と、前記受信手段にて受信された前記メッセージを蓄積する蓄積手段とを有する、請求項１に記載のネットワークシステム。
【請求項５】
前記蓄積サーバは、前記蓄積手段に蓄積された前記メッセージを、前記ネットワーク上に送出する送信手段をさらに有する、請求項４に記載のネットワークシステム。
【請求項６】
前記蓄積サーバは、前記蓄積手段に蓄積された前記メッセージを表示する表示手段をさらに有する、請求項４に記載のネットワークシステム。
【請求項７】
ネットワークに接続可能に構成された第１および第２の情報端末と、
前記第１の情報端末により配信先として指定された前記第２の情報端末が前記ネットワークに接続された状態において、前記第２の情報端末に前記ネットワークを介して映像および／または音声からなるデータを配信する配信サーバと、
前記第２の情報端末が前記ネットワークに接続された状態において、前記配信サーバにより配信された前記データに応答して映像および／または音声からなるメッセージが前記第２の情報端末から前記ネットワーク上に送出された場合に、当該メッセージを蓄積する蓄積サーバとを有するネットワークシステム。
【請求項８】
前記第１の情報端末が前記第２の情報端末への前記データの配信開始を要求してきた場合に、その要求が行われた時刻と前記第１の情報端末の識別番号との少なくとも１つを用いて前記第１の情報端末を認証する認証サーバと、
前記認証サーバにより前記第１の情報端末の認証が成功した場合に、前記第２の情報端末を前記ネットワークに接続するための呼処理を行う呼処理サーバとをさらに有する、請求項７に記載のネットワークシステム。
【請求項９】
所定の場所に設置され、当該所定の場所の様子を撮影および／または集音して前記データを得る撮影／集音手段をさらに有し、
前記配信サーバは、前記撮影／集音手段にて得られた前記データを、前記ネットワークを介して前記第２の情報端末にリアルタイムに配信する、請求項７に記載のネットワークシステム。
【請求項１０】
前記第２の情報端末から送出された前記メッセージの送信開始の合図となる信号を検出してから、前記第２の情報端末から送出された前記メッセージの送信終了の合図となる信号を検出するまでの間、前記第２の情報端末から送出された前記メッセージを前記ネットワークを介して前記蓄積サーバに送信するゲートウェイ装置をさらに有し、
前記蓄積サーバは、前記ゲートウェイ装置から前記ネットワークを介して送信されてきた前記メッセージを受信する受信手段と、前記受信手段にて受信された前記メッセージを蓄積する蓄積手段とを有する、請求項７に記載のネットワークシステム。
【請求項１１】
前記蓄積サーバは、前記蓄積手段に蓄積された前記メッセージを、前記ネットワーク上に送出する送信手段をさらに有する、請求項１０に記載のネットワークシステム。
【請求項１２】
前記蓄積サーバは、前記蓄積手段に蓄積された前記メッセージを表示する表示手段をさらに有する、請求項１０に記載のネットワークシステム。
【請求項１３】
配信サーバが、情報端末からの映像および／または音声からなるデータの配信開始の要求に基づき、ネットワーク経由で下り回線を介して前記情報端末に前記データを配信するステップと、
前記情報端末が、前記配信サーバにより配信された前記データに応答して、映像および／または音声からなるメッセージを上り回線を介してネットワーク経由で蓄積サーバに送信するステップと、
前記蓄積サーバが、前記情報端末から送信されてきた前記メッセージを蓄積するステップとを有するデータ配信サービス提供方法。
【請求項１４】
認証サーバが、前記情報端末が前記データの配信開始を要求した場合に、その要求が行われた時刻と前記情報端末の識別番号との少なくとも１つを用いて前記情報端末を認証するステップと、
呼処理サーバが、前記認証サーバにより前記情報端末の認証が成功した場合に、前記情報端末を前記ネットワークに接続するための呼処理を行うステップとをさらに有し、
前記情報端末に前記データを配信するステップでは、前記呼処理サーバにより前記情報端末が前記ネットワークに接続された状態において、前記配信サーバが、前記データを前記ネットワーク経由で前記情報端末に配信する、請求項１３に記載のデータ配信サービス提供方法。
【請求項１５】
撮影／集音手段が、所定の場所の様子を撮影および／または集音して前記データを得るステップをさらに有し、
前記情報端末に前記データを配信するステップでは、前記配信サーバが、前記撮影／集音手段にて得られた前記データを、前記ネットワーク経由で前記情報端末にリアルタイムに配信する、請求項１３に記載のデータ配信サービス提供方法。
【請求項１６】
前記蓄積サーバに前記メッセージを送信するステップでは、前記情報端末が、前記メッセージの送信開始の合図となる信号を送出してから、前記メッセージを送信し、その後に、前記メッセージの送信終了の合図となる信号を送出し、
ゲートウェイ装置が、前記情報端末から送出された前記メッセージの送信開始の合図となる信号を検出してから、前記情報端末から送出された前記メッセージの送信終了の合図となる信号を検出するまでの間、前記情報端末から送出された前記メッセージを前記ネットワーク経由で前記蓄積サーバに送信するステップをさらに有し、
前記メッセージを蓄積するステップでは、前記蓄積サーバが、前記ゲートウェイ装置から前記ネットワーク経由で送信されてきた前記メッセージを蓄積する、請求項１３に記載のデータ配信サービス提供方法。
【請求項１７】
前記蓄積サーバが、当該蓄積サーバ内に蓄積した前記メッセージを、前記ネットワーク経由で外部の表示手段に送信するステップをさらに有する、請求項１６に記載のデータ配信サービス提供方法。
【請求項１８】
前記蓄積サーバが、当該蓄積サーバ内に蓄積した前記メッセージを、当該蓄積サーバ内の表示手段に表示するステップをさらに有する、請求項１６に記載のデータ配信サービス提供方法。
【請求項１９】
配信サーバが、第１の情報端末からの映像および／または音声からなるデータの配信開始の要求に基づき、前記第１の情報端末により配信先として指定された第２の情報端末にネットワーク経由で下り回線を介して前記データを配信するステップと、
前記第２の情報端末が、前記配信サーバにより配信された前記データに応答して、映像および／または音声からなるメッセージを上り回線を介してネットワーク経由で蓄積サーバに送信するステップと、
前記蓄積サーバが、前記第２の情報端末から送信されてきた前記メッセージを蓄積するステップとを有するデータ配信サービス提供方法。
【請求項２０】
認証サーバが、前記第１の情報端末が前記第２の情報端末への前記データの配信開始を要求した場合に、その要求が行われた時刻と前記第１の情報端末の識別番号との少なくとも１つを用いて前記第１の情報端末を認証するステップと、
呼処理サーバが、前記認証サーバにより前記第１の情報端末の認証が成功した場合に、前記第２の情報端末を前記ネットワークに接続するための呼処理を行うステップとをさらに有し、
前記第２の情報端末に前記データを配信するステップでは、前記呼処理サーバにより前記第２の情報端末が前記ネットワークに接続された状態において、前記配信サーバが、前記データを前記ネットワーク経由で前記第２の情報端末に配信する、請求項１９に記載のデータ配信サービス提供方法。
【請求項２１】
撮影／集音手段が、所定の場所の様子を撮影および／または集音して前記データを得るステップをさらに有し、
前記第２の情報端末に前記データを配信するステップでは、前記配信サーバが、前記撮影／集音手段にて得られた前記データを、前記ネットワーク経由で前記第２の情報端末にリアルタイムに配信する、請求項１９に記載のデータ配信サービス提供方法。
【請求項２２】
前記蓄積サーバに前記メッセージを送信するステップでは、前記第２の情報端末が、前記メッセージの送信開始の合図となる信号を送出してから、前記メッセージを送信し、その後に、前記メッセージの送信終了の合図となる信号を送出し、
ゲートウェイ装置が、前記第２の情報端末から送出された前記メッセージの送信開始の合図となる信号を検出してから、前記第２の情報端末から送出された前記メッセージの送信終了の合図となる信号を検出するまでの間、前記第２の情報端末から送出された前記メッセージを前記ネットワーク経由で前記蓄積サーバに送信するステップをさらに有し、
前記メッセージを蓄積するステップでは、前記蓄積サーバが、前記ゲートウェイ装置から前記ネットワーク経由で送信されてきた前記メッセージを蓄積する、請求項１９に記載のデータ配信サービス提供方法。
【請求項２３】
前記蓄積サーバが、当該蓄積サーバ内に蓄積した前記メッセージを、前記ネットワーク経由で外部の表示手段に送信するステップをさらに有する、請求項２２に記載のデータ配信サービス提供方法。
【請求項２４】
前記蓄積サーバが、当該蓄積サーバ内に蓄積した前記メッセージを、当該蓄積サーバ内の表示手段に表示するステップをさらに有する、請求項２２に記載のデータ配信サービス提供方法。
【発明の詳細な説明】
【技術分野】
【０００１】  本発明は、携帯端末、パーソナルコンピュータ等の情報端末を対象として、映像および／または音声からなるデータを配信する配信サービスを提供するとともに、当該配信サービスにより配信されたデータに応答して映像および／または音声からなるメッセージをアップロードするアップロードサービスを提供するネットワークシステムおよびデータ配信サービス提供方法に関する。【０００２】  特に、本発明は、情報端末を対象とした配信サービスとして、結婚式、祝賀会、展示会などの各種イベントが行われているイベント会場の様子を、映像および／または音声からなるデータとしてリアルタイムに配信するサービスを提供するネットワークシステムおよびデータ配信サービス提供方法に関する。
【背景技術】
【０００３】  現在、ＴＶ電話機能を備えた携帯端末を対象にライブ映像等のデータを配信する配信サービスがある。ある配信サービスにおいては、サーバにおいて、結婚式場などのイベント会場にてカメラを用いて撮影されたライブ映像のデータを収集し、収集したデータを携帯端末に配信している。【０００４】  しかしながら、上述の配信サービスにおいては、携帯端末の下り回線は有効利用されているものの、携帯端末の上り回線は接続を維持するためのデータ（ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｓｅｃｔｏｒ）勧告Ｈ．２２３のスタッフィングデータ）が流れているだけで、まったく有効利用されていないという問題点がある。
【発明の開示】
【０００５】  そこで、本発明の目的は、携帯端末等である情報端末の下り回線だけでなく、上り回線をも有効利用することができるネットワークシステムおよびデータ配信サービス提供方法を提供することにある。
【０００６】  上記目的を達成するために本発明の一態様によるネットワークシステムは、ネットワークに接続可能に構成された情報端末と、前記情報端末が前記ネットワークに接続された状態において、前記情報端末に前記ネットワークを介して映像および／または音声からなるデータを配信する配信サーバと、前記情報端末が前記ネットワークに接続された状態において、前記配信サーバにより配信された前記データに応答して映像および／または音声からなるメッセージが前記情報端末から前記ネットワーク上に送出された場合に、当該メッセージを蓄積する蓄積サーバとを有することを特徴とするものである。
【０００７】  この場合、情報端末を使用しているユーザは、情報端末の下り回線を利用して配信サーバから配信されたデータ（例えば、結婚式の映像データや音声データ）を閲覧可能となるばかりでなく、情報端末の上り回線を利用して、配信されたデータに応答してメッセージ（例えば、新郎・新婦へのお祝いメッセージ）を蓄積サーバにアップロードすることが可能になる。
【０００８】  上記目的を達成するために本発明の他の態様によるネットワークシステムは、ネットワークに接続可能に構成された第１および第２の情報端末と、前記第１の情報端末により配信先として指定された前記第２の情報端末が前記ネットワークに接続された状態において、前記第２の情報端末に前記ネットワークを介して映像および／または音声からなるデータを配信する配信サーバと、前記第２の情報端末が前記ネットワークに接続された状態において、前記配信サーバにより配信された前記データに応答して映像および／または音声からなるメッセージが前記第２の情報端末から前記ネットワーク上に送出された場合に、当該メッセージを蓄積する蓄積サーバとを有することを特徴とするものである。
【０００９】  この場合、第１の情報端末を使用しているユーザは、別の場所に位置する第２の情報端末に向けて、配信サーバからのデータを配信することができる。この場合でも、第２の情報端末を使用しているユーザは、第２の情報端末の下り回線を利用して配信サーバから配信されたデータを閲覧可能となるばかりでなく、第２の情報端末の上り回線を利用して、配信されたデータに応答してメッセージを蓄積サーバにアップロードすることが可能になる。
【００１０】  また、所定の場所に設置され、当該所定の場所の様子を撮影および／または集音して前記データを得る撮影／集音手段をさらに有し、前記配信サーバは、前記撮影／集音手段にて得られた前記データを、前記ネットワークを介して前記情報端末にリアルタイムに配信することとしても良い。
【００１１】  この場合、情報端末を使用しているユーザは、撮影／集音手段にて撮影および／または集音されたデータ（例えば、結婚式の映像データや音声データ）をリアルタイムに閲覧可能となる。
【００１２】  また、前記情報端末から送出された前記メッセージの送信開始の合図となる信号を検出してから、前記情報端末から送出された前記メッセージの送信終了の合図となる信号を検出するまでの間、前記情報端末から送出された前記メッセージを前記ネットワークを介して前記蓄積サーバに送信するゲートウェイ装置をさらに有し、前記蓄積サーバは、前記ゲートウェイ装置から前記ネットワークを介して送信されてきた前記メッセージを受信する受信手段と、前記受信手段にて受信された前記メッセージを蓄積する蓄積手段とを有することとしても良い。
【００１３】  この場合、情報端末を使用しているユーザは、メッセージの送信開始または送信終了の合図となる信号（例えば、情報端末のＰＢ音等）を送出するだけの簡単な操作で、蓄積サーバにメッセージを蓄積することが可能になる。
【００１４】  また、前記蓄積サーバは、前記蓄積手段に蓄積された前記メッセージを、前記ネットワーク上に送出する送信手段をさらに有することとしても良い。
【００１５】  この場合、蓄積サーバに蓄積されたメッセージを、所定のタイミング（例えば、結婚式にて祝電を披露するタイミング等）で、所定の表示装置（例えば、結婚式場に設置されたモニタ）に送信し、表示させることが可能になる。
【００１６】  また、前記蓄積サーバは、前記蓄積手段に蓄積された前記メッセージを表示する表示手段をさらに有することとしても良い。
【００１７】  この場合、蓄積サーバを所定の場所（例えば、結婚式場）に設置し、蓄積サーバに蓄積されたメッセージを、所定のタイミング（例えば、結婚式にて祝電を披露するタイミング等）で表示することが可能になる。
【図面の簡単な説明】
【００１８】
【図１】本発明の一実施形態によるネットワークシステムの構成を示す図である。
【図２】図１に示した蓄積サーバの構成を示すブロック図である。
【図３】図１に示したネットワークシステムの動作として、携帯端末のユーザがデータ配信サービスを利用する場合の動作を説明するフローチャートである。
【図４】図１に示したネットワークシステムの動作として、携帯端末のユーザがメッセージアップロードサービスを利用する場合の動作を説明するフローチャートである。
【発明を実施するための最良の形態】
【００１９】  以下、本発明を実施するための最良の形態について図面を参照して説明する。ここでは、本発明のネットワークシステムが、結婚式・披露宴の様子を撮影および集音することにより得た映像および音声からなるデータをリアルタイムに配信する配信サービスと、当該配信サービスにより配信されたデータに応答してメッセージをアップロードするアップロードサービスとを提供する場合を例に挙げて説明する。以下、便宜上、結婚式・披露宴をまとめて結婚式と呼び、また、結婚式会場・披露宴会場をまとめて結婚式場と呼ぶ。【００２０】  図１を参照すると、本発明の一実施形態によるネットワークシステムは、カメラ１と、エンコーダ２と、認証サーバ３と、配信サーバ４と、蓄積サーバ５と、呼処理サーバ６と、ＧＷ（ｇａｔｅｗａｙ）７と、ＩＰ（Ｉｎｔｅｒｎｅｔ  Ｐｒｏｔｏｃｏｌ）ネットワーク８と、電話回線網９と、携帯端末１０１，１０２とを有している。【００２１】  ＩＰネットワーク８には、認証サーバ３、配信サーバ４、蓄積サーバ５、および、呼処理サーバ６が接続されている。このＩＰネットワーク８には、呼処理サーバ６による呼処理によってエンコーダ２も接続可能になっている。さらに、ＩＰネットワーク８には、ＩＰネットワーク８と電話回線網９との回線交換用のＧＷ７も接続されている。この電話回線網９は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）網、ＰＤＣ（Ｐｅｒｓｏｎａｌ  Ｄｉｇｉｔａｌ  Ｃｅｌｌｕｌａｒ）網、３Ｇ（３ｒｄ  Ｇｅｎｅｒａｔｉｏｎ）網などを含んでいる。さらに、ＩＰネットワーク８には、呼処理サーバ６による呼処理によって、電話回線網９を介して携帯端末１０１，１０２も接続可能になっている。【００２２】  カメラ１およびエンコーダ２は結婚式場に設置されるものである。カメラ１は、結婚式当日に結婚式の様子を撮影および集音して、映像および音声からなるデータを得る。エンコーダ２は、カメラ１にて得られたデータを所定の形式のＩＰデータ（例えば、ＵＤＰ（Ｕｓｅｒ  Ｄａｔａｇｒａｍ  Ｐｒｏｔｏｃｏｌ）／ＩＰデータ）にエンコードし、エンコードされたＩＰデータを、ＩＰネットワーク８に接続された状態で、ＩＰネットワーク８から配信サーバ４に送信する。【００２３】  呼処理サーバ６は、エンコーダ２をＩＰネットワーク８に接続するための呼処理を行う。例えば、エンコーダ２がＳＩＰ（Ｓｅｓｓｉｏｎ  Ｉｎｉｔｉａｔｉｏｎ  Ｐｒｏｔｏｃｏｌ）を用いてＩＰネットワーク８に接続する場合には、呼処理サーバ６はＳＩＰサーバとなる。【００２４】  さらに、呼処理サーバ６は、携帯端末１０１，１０２を、電話回線網９を介してＩＰネットワーク８に接続するための呼処理も行う。例えば、呼処理サーバ６は、携帯端末１０１，１０２からデータの配信開始を要求してきた場合、その携帯端末１０１，１０２の認証を認証サーバ３に要求し、認証に成功した場合に携帯端末１０１，１０２の呼処理を行うことになる。【００２５】  認証サーバ３は、呼処理サーバ６からの認証要求を受けて、携帯端末１０１，１０２の認証を行う。【００２６】  配信サーバ４は、呼処理サーバ６による呼処理によって携帯端末１０１，１０２がＩＰネットワー���８に接続された状態において、エンコーダ２からＩＰネットワーク８を介して送信されてきたＩＰデータを、ＩＰネットワーク８を介して携帯端末１０１，１０２に向けて配信する。【００２７】  ＧＷ７は、配信サーバ４から携帯端末１０１，１０２に向けて配信されたＩＰデータを、回線交換用データ（例えば、６４ｋｂｐｓの非制限デジタルデータ）に変換し、電話回線網９を介して携帯端末１０１，１０２に送信する。【００２８】  さらに、ＧＷ７は、携帯端末１０１，１０２から送出された、メッセージの送信開始または送信終了の合図となる信号を検出する機能を備える。また、ＧＷ７は、携帯端末１０１，１０２から送出されたメッセージの送信開始の合図となる信号を検出してから、メッセージの送信終了の合図となる信号を検出するまでの間、携帯端末１０１，１０２から送出されたメッセージを、ＩＰネットワーク８を介して蓄積サーバ５に送信する機能を備える。【００２９】  蓄積サーバ５は、呼処理サーバ６による呼処理によって携帯端末１０１，１０２がＩＰネットワーク８に接続された状態において、配信サーバ４により配信されたデータに応答して携帯端末１０１，１０２からＩＰネットワーク８上に映像および音声からなるメッセージが送出された場合、そのメッセージを蓄積する。【００３０】  より詳細には、図３を参照すると、蓄積サーバ５は、携帯端末１０１，１０２から送出され、ＧＷ７からＩＰネットワーク８を介して送信されてきたメッセージを受信する受信部５１と、受信部５１にて受信されたメッセージを蓄積する蓄積部５２とを有している。【００３１】  さらに、蓄積サーバ５は、蓄積部５２に蓄積されたメッセージをＩＰネットワーク８上に送出する送信部５３と、蓄積部５２に蓄積されたメッセージを表示する表示部５４とを有している。これにより、蓄積サーバ５は、蓄積部５２に蓄積されたメッセージを、ＩＰネットワーク８を介して結婚式場の不図示のモニタなどの表示手段に送信し、表示させることもできる。または、蓄積サーバ５は、結婚式場に設置された場合に、蓄積部５２に蓄積されたメッセージを自らで表示することもできる。【００３２】  携帯端末１０１，１０２は、一般的なＴＶ電話機能を備えている。すなわち、携帯端末１０１，１０２は、通話相手から電話回線網９を介して受信した映像および音声からなるデータをデコードし、映像および音声として出力する機能や、ユーザの様子を撮影および集音することで得た映像および音声からなるデータをエンコードし、電話回線網９を介して通話相手に送信する機能等を備えている。【００３３】  したがって、携帯端末１０１，１０２は、配信サーバ４から配信されてきた映像および音声からなるデータをデコードし、映像および音声として出力したり、配信サーバ４により配信されたデータに応答して映像および音声からなるメッセージをエンコードし、蓄積サーバ５に送信したりすることが可能となる。【００３４】  以下、図１に示したネットワークシステムの動作として、データの配信サービスおよびメッセージのアップロードサービスを提供する場合の動作について説明する。【００３５】  最初に、事前準備として、携帯端末１０１，１０２のユーザと、システム管理者（例えば���結婚式場の運用業者）との間で、次のような手続きが行われる。【００３６】  まず、システム管理者は、携帯端末１０１，１０２のユーザに対し、次の（１）〜（３）の通知を行う。このときの通知方法は、例えば、ハガキ、電子メールなど、任意の方法を利用できる。
（１）結婚式が行われている時間帯の中で、配信サービスを利用可能な時間帯、すなわち携帯端末１０１，１０２の接続が有効となる時間帯
（２）結婚式当日、配信サービスを利用する場合に、データの配信開始を要求する時に発呼すべき発呼番号（例えば、０３−１２３４−５６７８）
（３）メッセージのアップロードサービスを利用する場合に、メッセージの送信開始および送信終了の合図として送信すべき信号（例えば、ＤＴＭＦ（Ｄｉａｌ  Ｔｏｎｅ  Ｍｕｌｔｉ  Ｆｒｅｑｕｅｎｃｙ）信号等のＰＢ（Ｐｕｓｈ  Ｂｕｔｔｏｎ）信号）【００３７】  携帯端末１０１，１０２のユーザは、配信サービスおよびアップロードサービスの利用を希望する場合に、システム管理者に対し、自己の携帯端末の電話番号を通知し、これらのサービスを利用することを告げる。このときの通知方法は、例えば、ハガキ、電子メールよる返信など、任意の方法を利用できる。【００３８】  ここでは、携帯端末１０１のユーザが、携帯端末１０１の電話番号（例えば、０９０−１２３４−５６７８）を通知し、配信サービスおよびアップロードサービスを利用することを告げたとする。【００３９】  システム管理者は、携帯端末１０１の電話番号と、携帯端末１０１の接続が有効となる接続有効時間帯とを認証サーバ３に登録する。また、システム管理者は、携帯端末１０１の電話番号を、データ配信先の電話番号として、配信サーバ４および呼処理サーバ６にも登録する。【００４０】  以上で、事前準備が終了する。【００４１】  続いて、携帯端末１０１のユーザが、結婚式当日、配信サービスおよびアップロードサービスを利用する場合の処理について、図３および図４のフローチャートを参照して説明する。【００４２】  まず、図３のフローチャートを参照して、携帯端末１０１のユーザがデータの配信サービスを利用する場合の処理について説明する。【００４３】  図３を参照すると、結婚式当日、カメラ１にて結婚式の様子が撮影および集音された映像および音声からなるデータは、エンコーダ２にて所定の形式のＩＰデータにエンコードされる。このデータは、呼処理サーバ６による呼処理によってエンコーダ２がＩＰネットワーク８と接続された後、エンコーダ２からＩＰネットワーク８を介して配信サーバ４に送信される（ステップ３０１）。例えば、データの配信先となる携帯端末１０１が携帯ＴＶ電話端末である場合、エンコーダ２において、映像データは、ＭＰＥＧ−４（Ｍｏｖｉｎｇ  Ｐｉｃｔｕｒｅ  Ｅｘｐｅｒｔｓ  Ｇｒｏｕｐ−４）、ＭＰＥＧ−２などの形式にエンコードされ、音声データは、ＡＭＲ（Ａｄｖａｎｃｅｄ  Ｍｕｌｔｉ  Ｒａｔｅ  ＣＯＤＥＣ）などの形式にエンコードされる。【００４４】  その一方で、携帯端末１０１のユーザは、予め通知された携帯端末１０１の接続有効時間帯になると、結婚式のデータの配信開始要求のために、携帯端末１０１を用いて予め通知された電話番号（例えば、０３−１２３４−５６７８）へ発呼する（ステップ３０２）。【００４５】  すると、呼処理サーバ６は、ステップ３０２で発呼した携帯端末１０１の認証を、認証サーバ３に要求する（ステップ３０３）。【００４６】  認証サーバ３は、呼処理サーバ６からの認証要求を受けると、携帯端末１０１の識別番号としての電話番号（例えば、０９０−１２３４−５６７８）が予め登録された電話番号と一致しているか、携帯端末１０１が発呼した時刻が予め登録された接続有効時間帯の範囲と一致しているかを確認し、携帯端末１０１の認証を行う（ステップ３０４）。ここでは、��証サーバ３による携帯端末１０１の認証は、携帯端末１０１の電話番号および接続有効時間帯のいずれか一方が一致していれば成功であるとする。【００４７】  認証サーバ３にて携帯端末１０１の認証に成功すると、呼処理サーバ６は、携帯端末１０１の上り回線および下り回線を、電話回線網９およびＧＷ７を介してＩＰネットワーク８に接続するための呼処理を行う（ステップ３０５）。【００４８】  その後、配信サーバ４は、結婚式のデータを、ＩＰネットワーク８から携帯端末１０１の下り回線を介して、携帯端末１０１に向けて配信する（ステップ３０６）。このとき、ＧＷ７では、配信サーバ４から携帯端末１０１に向けて配信されたデータを回線交換用データに変換した上で、電話回線網９を介して携帯端末１０１に送信する。【００４９】  これにより、携帯端末１０１のユーザは、携帯端末１０１の下り回線を有効利用し、結婚式の映像および音声からなるデータをリアルタイムに閲覧することができる。なお、この時点では、携帯端末１０１の上り回線には、ＩＴＵ−Ｔ勧告Ｈ．２２３のスタッフィングデータが流れている。【００５０】  続いて、図４のフローチャートを参照して、携帯端末１０１のユーザがメッセージのアップロードサービスを利用する場合の処理について説明する。【００５１】  携帯端末１０１のユーザは、配信サーバ４から携帯端末１０１に結婚式のデータが配信されている状態で（ステップ４０１）、当該データに応答してメッセージ（お祝いメッセージ等）を送信しようとしたとする。【００５２】  この場合、携帯端末１０１のユーザは、まず、メッセージ送信開始の合図となる送信開始信号を、携帯端末１０１の上り回線を介して送出し（ステップ４０２）、続いて、携帯端末１０１にて撮影および集音した映像および音声からなるメッセージを、携帯端末１０１の上り回線を介して送出する（ステップ４０４）。なお、送信開始信号とは、上述したように、ＤＴＭＦ信号（例えば、１２３４５のＰＢ音）等である。【００５３】  ＧＷ７は、携帯端末１０１から送出された送信開始信号を検出すると（ステップ４０３）、その送信開始信号に続いて携帯端末１０１から送出されるメッセージをＩＰネットワーク８を介して蓄積サーバ５に送信し（ステップ４０５）、蓄積サーバ５内の蓄積部５２は、ＧＷ７からＩＰネットワーク８を介して送信されてきたメッセージの蓄積を開始する（ステップ４０６）。【００５４】  携帯端末１０１のユーザは、メッセージ送信を終了する場合、メッセージ送信終了の合図となる送信終了信号を、携帯端末１０１の上り回線を介して送出する（ステップ４０７）。なお、送信終了信号とは、上述したように、ＤＴＭＦ信号（例えば、６７８９０のＰＢ音）等である。【００５５】  ＧＷ７は、携帯端末１０１から送出された送信終了信号を検出すると（ステップ４０８）、蓄積サーバ５への送信を終了し（ステップ４０９）、蓄積サーバ５内の蓄積部５２は、メッセージの蓄積を終了する（ステップ４１０）。【００５６】  これにより、携帯端末１０１のユーザは、携帯端末１０１の上り回線を有効利用し、映像および音声からなるメッセージをアップロードすることができる。【００５７】  以降、蓄積サーバ５内では、送信部５３���、所定のタイミング（例えば、結婚式にて祝電を披露するタイミング等）で、蓄積部５２に蓄積されたメッセージを、結婚式場に設置された不図示のモニタ等の表示手段にＩＰネットワーク８を介して送信し、表示させても良い。または、蓄積サーバ５が結婚式場に設置されている場合には、表示部５４が、所定のタイミングで、蓄積部５２に蓄積されたメッセージを表示しても良い。【００５８】  なお、本実施形態においては、結婚式のデータを配信する構成を例に挙げて説明したが、本発明はこれに限らず、結婚式以外のイベント（例えば、祝賀会、展示会など）のデータを配信する構成としても良い。【００５９】  また、本実施形態においては、携帯端末１０１，１０２に映像および音声からなるデータを配信する構成を例に挙げて説明したが、本発明はこれに限らず、携帯端末１０１の要求に応じて、映像データのみを配信する構成としても良く、また、音声データのみを配信する構成としても良い。【００６０】  また、本実施形態においては、蓄積サーバ５に映像および音声からなるメッセージをアップロードする構成を例に挙げて説明したが、本発明はこれに限らず、映像のみからなるメッセージをアップロードする構成としても良く、また、音声のみからなるメッセージをアップロードする構成としても良い。【００６１】  また、本実施形態においては、携帯端末１０１，１０２にデータを配信する構成を例に挙げて説明したが、本発明はこれに限らず、固定されたパーソナルコンピュータ等の情報端末にデータを配信する構成としても良い。この場合、配信先の情報端末は、携帯端末１０１と同様の機能を備えている必要がある。【００６２】  また、本実施形態においては、映像および音声からなるデータをライブデータとしてリアルタイムに配信する構成を例に挙げて説明したが、本発明はこれに限らず、配信サーバ４内の不図示の蓄積部にデータを蓄積しておき、その蓄積されたデータを配信する構成としても良い。例えば、配信サーバ４に結婚式場の宣伝となる動画コンテンツのデータを蓄積しておき、その蓄積されたデータを結婚式場を探しているユーザの携帯端末を対象に配信しても良い。または、配信サーバ４に映画のデータを蓄積しておき、その蓄積されたデータを配信しても良い。なお、配信サーバ４に蓄積されたデータを配信する場合でも、配信先の携帯端末のユーザは、そのデータの閲覧中にメッセージ送信開始の合図となる信号を送り、その信号に続いてメッセージをアップロードすることができる。【００６３】  また、本実施形態においては、携帯端末１０１，１０２を電話回線網９を介してＩＰネットワーク８に接続し、電話回線網９の非制限デジタルデータを携帯端末１０１，１０２に配信する構成を例に挙げて説明したが、本発明はこれに限らず、携帯端末１０１，１０２を直接ＩＰネットワーク８に接続する構成としても良い。この場合、携帯端末１０１，１０２がデータの配信開始を要求する時に発呼する発呼番号は、上記のような電話番号ではなく、ＩＰネットワーク８上のＵＲＬ（ＳＩＰ  ＵＲＬなども含む）などの番号となる。また、認証サーバ３が携帯端末１０１，１０２の認証を行う際に参照する携帯端末１０１，１０２の識別番号は、ＩＰネットワーク８��のメールアドレス等となる。【００６４】  また、本実施形態においては、データ配信を要求してきた携帯端末１０１がデータの配信先となる構成を例に挙げて説明したが、本発明はこれに限らず、データ配信を要求してきた携帯端末１０１とは別の携帯端末１０２をデータの配信先とする構成としても良い。この場合、携帯端末１０１のユーザは、携帯端末１０１の電話番号だけでなく、データの配信先である携帯端末１０２の電話番号も予めシステム管理者に通知する。この携帯端末１０２の電話番号は、データ配信先の電話番号として、システム管理者により、配信サーバ４、呼処理サーバ６等に予め登録される。そして、携帯端末１０１のユーザがデータ配信要求を行うと、まず、認証サーバ３が、携帯端末１０１の認証を行い、認証に成功すると、呼処理サーバ６が、携帯端末１０２をＩＰネットワーク８に接続するための呼処理を行い、その後に、配信サーバ４が、ＩＰネットワーク８を介して携帯端末１０２にデータを配信する。なお、この場合には、配信先の携帯端末１０２のユーザが、データの閲覧中にメッセージ送信開始の合図となる信号を送り、その信号に続いてメッセージをアップロードすることができる。【００６５】  また、本実施形態においては、カメラ１が１台である場合を例に挙げて説明したが、本発明はこれに限らず、カメラ１を複数台設けた構成としても良い。さらに、本発明は、複数台のカメラを、携帯端末１０１，１０２からのＤＴＭＦ信号（ＰＢ音）等の切り換え信号によって切り換えることとしても良い。この場合、配信サーバ４は、複数台のカメラのそれぞれの映像および音声データを同時に受信可能な構成とする。携帯端末１０１，１０２のユーザは、カメラを切り換える際に、切り換え信号を送出する。ＧＷ７は、携帯端末１０１から送出された切り換え信号を検出すると、その切り換え信号の内容に基づき、ＩＰネットワーク８を介して配信サーバ４に対し、どのカメラのデータを配信するか指示する。これを受けた配信サーバ４は、ＧＷ７から指示されたカメラの映像および音声データを、ＩＰネットワーク８を介してＧＷ７に送信する。【００６６】  なお、本発明においては、上述した構成を単独で採用することとしても良く、また、上述した構成を２つ以上適宜組み合わせて採用することとしても良い。【００６７】  また、本発明においては、結婚式場側でシステムを管理し、上記のサービスを提供し、ユーザに課金を行うこととしても良い。また、ＩＳＰ（Ｉｎｔｅｒｎｅｔ  Ｓｅｒｖｉｃｅｓ  Ｐｒｏｖｉｄｅｒ）側でシステムを管理し、上記のサービスを提供し、ユーザに課金を行い、収益の一部を結婚式場に還元することとしても良い。また、電話会社側でシステムを管理し、上記のサービスを提供し、ユーザに課金を行い、収益の一部を結婚式場に還元することとしても良い。
【図１】
2005062615.tif 000002
【図２】
2005062615.tif 000003
【図３】
2005062615.tif 000004
【図４】
2005062615.tif 000005
【国際調査報告】
2005062615.tif 000006
2005062615.tif 000007
2005062615.tif 000008
2005062615.tif 000009